(57)【要約】【課題】画像形成装置側で最終的な白紙挿入処理の判断を行えるようにすることを目的とする。【解決手段】フィニッシング情報を設定する設定手段と、設定手段で設定されたフィニッシング情報と、印刷データに含まれる各ページのページデータと、に基づいて、画像形成装置での面付け処理のための白紙挿入箇所を検出し、検出した白紙挿入箇所に仮白紙の挿入を指定する指定手段と、指定手段で仮白紙の挿入が指定された印刷データと、設定手段で設定されたフィニッシング情報と、を画像形成装置に送信する送信手段と、を有することによって課題を解決する。【選択図】図１
2012058906.tif 000002
【特許請求の範囲】
【請求項１】
フィニッシング情報を設定する設定手段と、
前記設定手段で設定されたフィニッシング情報と、印刷データに含まれる各ページのページデータと、に基づいて、画像形成装置での面付け処理のための白紙挿入箇所を検出し、前記検出した白紙挿入箇所に仮白紙の挿入を指定する指定手段と、
前記指定手段で仮白紙の挿入が指定された前記印刷データと、前記設定手段で設定されたフィニッシング情報と、を画像形成装置に送信する送信手段と、
を有する情報処理装置。
【請求項２】
情報処理装置より、仮白紙の挿入が指定された印刷データと、フィニッシング情報と、を受信する受信手段と、
前記受信手段で受信された、前記印刷データに含まれる白紙挿入の仮処理が行われたページデータと、前記フィニッシング情報と、に基づいて、面付け処理のための白紙挿入箇所への白紙挿入を確定する確定手段と、
前記確定手段で確定された白紙挿入箇所へ白紙を挿入した印刷データを前記フィニッシング情報に基づき印字する印字手段と、
を有する画像形成装置。
【請求項３】
情報処理装置と、画像形成装置と、を含む印刷システムであって、
前記情報処理装置は、
フィニッシング情報を設定する設定手段と、
前記設定手段で設定されたフィニッシング情報と、印刷データに含まれる各ページのページデータと、に基づいて、画像形成装置での面付け処理のための白紙挿入箇所を検出し、前記検出した白紙挿入箇所に仮白紙の挿入を指定する指定手段と、
前記指定手段で仮白紙の挿入が指定された前記印刷データと、前記設定手段で設定されたフィニッシング情報と、を画像形成装置に送信する送信手段と、
を有し、
前記画像形成装置は、
前記情報処理装置より、仮白紙の挿入が指定された印刷データと、フィニッシング情報と、を受信する受信手段と、
前記受信手段で受信された、前記印刷データに含まれる白紙挿入の仮処理が行われたページデータと、前記フィニッシング情報と、に基づいて、面付け処理のための白紙挿入箇所への白紙挿入を確定する確定手段と、
前記確定手段で確定された白紙挿入箇所へ白紙を挿入した印刷データを前記フィニッシング情報に基づき印字する印字手段と、
を有する印刷システム。
【請求項４】
情報処理装置が実行する情報処理方法であって、
フィニッシング情報を設定する設定ステップと、
前記設定ステップで設定されたフィニッシング情報と、印刷データに含まれる各ページのページデータと、に基づいて、画像形成装置での面付け処理のための白紙挿入箇所を検出し、前記検出した白紙挿入箇所に仮白紙の挿入を指定する指定ステップと、
前記指定ステップで仮白紙の挿入が指定された前記印刷データと、前記設定ステップで設定されたフィニッシング情報と、を画像形成装置に送信する送信ステップと、
を含む情報処理方法。
【請求項５】
画像形成装置が実行する情報処理方法であって、
情報処理装置より、仮白紙の挿入が指定された印刷データと、フィニッシング情報と、を受信する受信ステップと、
前記受信ステップで受信された、前記印刷データに含まれる白紙挿入の仮処理が行われたページデータと、前記フィニッシング情報と、に基づいて、面付け処理のための白紙挿入箇所への白紙挿入を確定する確定ステップと、
前記確定ステップで確定された白紙挿入箇所へ白紙を挿入した印刷データを前記フィニッシング情報に基づき印字する印字ステップと、
を含む情報処理方法。
【請求項６】
情報処理装置と、画像形成装置と、を含む印刷システムにおける情報処理方法であって、
前記情報処理装置が、フィニッシング情報を設定する設定ステップと、
前記情報処理装置が、前記設定ステップで設定されたフィニッシング情報と、印刷データに含まれる各ページのページデータと、に基づいて、画像形成装置での面付け処理のための白紙挿入箇所を検出し、前記検出した白紙挿入箇所に仮白紙の挿入を指定する指定ステップと、
前記情報処理装置が、前記指定ステップで仮白紙の挿入が指定された前記印刷データと、前記設定ステップで設定されたフィニッシング情報と、を画像形成装置に送信する送信ステップと、
前記画像形成装置が、前記情報処理装置より、仮白紙の挿入が指定された印刷データと、フィニッシング情報と、を受信する受信ステップと、
前記画像形成装置が、前記受信ステップで受信された、前記印刷データに含まれる白紙挿入の仮処理が行われたページデータと、前記フィニッシング情報と、に基づいて、面付け処理のための白紙挿入箇所への白紙挿入を確定する確定ステップと、
前記画像形成装置が、前記確定ステップで確定された白紙挿入箇所へ白紙を挿入した印刷データを前記フィニッシング情報に基づき印字する印字ステップと、
を含む情報処理方法。
【請求項７】
コンピュータに、
フィニッシング情報を設定する設定ステップと、
前記設定ステップで設定されたフィニッシング情報と、印刷データに含まれる各ページのページデータと、に基づいて、画像形成装置での面付け処理のための白紙挿入箇所を検出し、前記検出した白紙挿入箇所に仮白紙の挿入を指定する指定ステップと、
前記指定ステップで仮白紙の挿入が指定された前記印刷データと、前記設定ステップで設定されたフィニッシング情報と、を画像形成装置に送信する送信ステップと、
を実行させるプログラム。
【請求項８】
コンピュータに、
情報処理装置より、仮白紙の挿入が指定された印刷データと、フィニッシング情報と、を受信する受信ステップと、
前記受信ステップで受信された、前記印刷データに含まれる白紙挿入の仮処理が行われたページデータと、前記フィニッシング情報と、に基づいて、面付け処理のための白紙挿入箇所への白紙挿入を確定する確定ステップと、
前記確定ステップで確定された白紙挿入箇所へ白紙を挿入した印刷データを前記フィニッシング情報に基づき印字する印字ステップと、
を実行させるプログラム。
【発明の詳細な説明】
【技術分野】
【０００１】
本発明は、情報処理装置、画像形成装置、印刷システム、情報処理方法及びプログラムに関する。
【背景技術】
【０００２】
画像形成装置は、情報処理装置上で生成した印刷データを情報処理装置からの指示通りに印刷するだけでなく、画像形成装置上の記憶領域に一時保存し、後から一部の印刷パラメータを変更して印刷する手段を提供している。この変更可能なパラメータとしては、フィニッシング処理に関する指示（両面印刷や製本指定、ステープル指定、挿入紙等）や、画像調整処理に関する指示（綴じしろやトナー濃度の設定等）がある。
特に印刷業界向けのオンライン印刷システムでは、情報処理装置上で作成した印刷データを画像形成装置上に一時保存し、オペレータが各種パラメータを調整、サンプル出力を繰り返して納品レベルを満たす出力物に仕上げている。これらの調整作業は、データを生成する情報処理装置側・印刷処理を行う画像形成装置側、それぞれの製品仕様に依存するため、自動化が難しい。
とりわけ、特定データから複数の出力結果を生成したい場合、個々の案件毎に微調整が必要で、オペレータに負担となっている。このため、オペレータが各出力目的別におおまかな設定を行い、画像形成装置の内部処理でパラメータ間の矛盾を解決し、オペレータの調整負荷を軽減する仕組みが求められている。
【先行技術文献】
【特許文献】
【０００３】
【特許文献１】特開２００６−１８００４４号公報
【発明の概要】
【発明が解決しようとする課題】
【０００４】
先に述べた出力目的別に調整が必要な問題の一つとして、片面・両面印刷の制御用に情報処理装置側で生成された「白紙」の制御がある。画像形成装置は、普通紙・厚紙・インデックス紙等の様々な印刷メディアに画像を印字することが可能であるが、全てのメディアを均一に扱うことは難しい。特に両面印刷は画像形成装置の紙搬送機構の制約から厚紙・インデックス紙・ユーザ定義用紙等は両面印刷に対応できない。これら制約があるメディアを使用する印刷データに対しては、各種のフィニッシング設定を実現するために、印刷データの中に自動的に白紙を挿入して面付けを制御することにより所望の出力成果物（印刷物）を出力する。
面付け処理に伴う白紙挿入位置の予測・決定処理は、情報処理装置側で行う場合と画像形成装置側で行う場合との２通りある。情報処理装置側で行う場合、画像形成装置に送付する前に予め決定したフィニッシング設定に従って白紙挿入位置を決める。このため、画像形成装置にデータを転送・保存してから画像形成装置の操作パネルにてフィニッシング設定を変更すると、情報処理装置側で挿入した白紙が無駄になるケースがある。反対に、画像形成装置側で白紙挿入位置を決める場合、ＰＤＬデータの言語展開・ＲＩＰ完了後に論理ページの最終的な面付け処理を行い、必要に応じて白紙を挿入する。
【０００５】
前者はホスト側で最終の出力形態に最適化してデータを投入するため、画像形成装置側での判断が簡略化される。このため、画像形成装置内での処理待ちが発生しにくく、印刷パフォーマンス上、有利である。但し、後から画像形成装置内でフィニッシング設定等を変更すると最適化の前提条件が崩れるため、白紙挿入位置が不適切になる。
後者は、画像形成装置上で最終的なフィニッシング設定が確定してから、白紙挿入位置を決定する。このため、常に最終的なフィニッシング設定に適した白紙挿入制御が実現できるが、挿入位置の判断処理に時間がかかり、印刷エンジンのパフォーマンスを最大限に生かすことが出来ない。
ハイエンド系のＰＯＤ市場向けの画像形成装置では、印刷オペレータの業務として１つのデータからフィニッシング設定を修正し、異なる複数の成果物を作成することがある。従来、情報処理装置側で印刷データを生成すると、印刷パフォーマンスの向上を狙って、初期のフィニッシング設定に最適化したデータ（面付けを考慮した白紙挿入処理まで行われているデータ）を生成する傾向が強い。このため、画像形成装置上で印刷データをＰＤＬ展開／ＲＩＰ完了後の中間データで保持し再印刷する場合、画像形成装置上で諸条件を変更すると、印刷結果に不具合が発生する。このため、条件変更後に正確な出力結果を得るためには、情報処理装置上のデータ作成からやり直すか、ＲＩＰ完了後のデータに対して、白紙挿入位置を手動で確認・調整する必要があった。
【０００６】
具体的に不具合が発生するのは、
・情報処理装置側が画像形成装置のスペックを正確に把握できない場合
情報処理装置側が画像形成装置と通信できない
情報処理装置が画像形成装置からのスペック情報を誤って解釈する
・印刷データ生成後に画像生成装置側のアクセサリが変化する場合
アクセサリの交換による能力変更
アクセサリ故障による縮退動作
等が考えられる。
【０００７】
以降、発明が解決しようとする課題について、２章６ページで構成される文書を例に説明する。情報処理装置上で作成しているフィニッシング設定適用前の印刷データを
◆元データ
章１              章２
論１  論２  論３  論４  論５  論６
とする。
この６ページで構成される文書に対して、画像形成装置は、片面両面印刷、表紙設定、章紙のメディア設定等を行うことにより異なる出力物が出力される。ここでは前述の印刷データに３つの異なる印刷設定の適用結果を説明する。
◆ケース１
文書全体：両面設定（章の先頭の表裏を制御しない）
章１              章２
論理ページ  ｜  論１  論２  論３  論４  論５  論６
用紙タイプ  ｜  普通  普通  普通  普通  普通  普通
両面設定    ｜  自動  自動  自動  自動  自動  自動
両面判定    ｜  表    裏    表    裏    表    裏
【０００８】
◆ケース２
文書全体：両面設定時に章の先頭ページが表になるように制御する。下記のように１章の最終ページ（論理ページ３）の裏面用に白紙ページが挿入される。
章１              ↓    章２
論理ページ  ｜  論１  論２  論３  白紙  論４  論５  論６
用紙タイプ  ｜  普通  普通  普通  普通  普通  普通  普通
両面設定    ｜  自動  自動  自動  自動  自動  自動  自動
両面判定    ｜  表    裏    表    裏    表    裏    表
◆ケース３
文書全体：両面設定
章の見出しにインデックス紙を設定する
章の先頭を表に制御する
インデックス紙は片面であり、インデックス紙の次の用紙は普通紙なのでインデックス紙の裏側用に白紙ページを挿入し、論理ページ２と論理ページ５は次の用紙である普通紙の表に面付けされる。
結果として「↓」の位置（インデックス紙の裏面）に白紙ページが挿入される。
章１  ↓                章２  ↓
論理ページ  ｜  論１  白紙  論２  論３  論４  白紙  論５  論６
用紙タイプ  ｜  タブ  タブ  普通  普通  タブ  タブ  普通  普通
両面設定    ｜  片          自動  自動  片          自動  自動
両面判定    ｜  表    裏    表    裏    表    裏    表    裏
【０００９】
印刷ジョブ全体に両面印刷が設定されているケース１−３のそれぞれにおいて、文書構成上の各ページの役割や、特定ページで採用した用紙種別の制約によって、ユーザが期待する面付け処理が変化する。以下、それぞれのケースにおけるオペレータの意図した動作を説明する。
ケース１は、先頭ページから順番に用紙の表裏に面付け処理を行うことを期待している。特に章の先頭ページに対する特別な処理を期待しないケースであり、２章の先頭ページが用紙の裏面に面付けされる。
ケース２は、ケース１と同様にジョブ全体が普通紙であるが、章の先頭ページを両面印刷の表面に面付けすることを期待して、論理ページ４の前に白紙ページを挿入する。これにより章２の先頭ページである論理ページ４は両面印刷の表面に面付けされる。
ケース３は、章の先頭ページに普通紙ではなくインデックス紙を指定するケースである。インデックス紙は「見出し部分の出っ張り」を備えるため両面印刷できない。このため、インデックス紙は強制的に片面印刷となる。
情報処理装置上の印刷データを作成するアプリケーションは、ケース１−３の様なそれぞれの用途に柔軟に対応できる印刷データを生成・画像形成装置へ転送することが望ましい。しかしながら、現実には画像形成装置は、情報処理装置からのデータをそのまま印刷するだけではデータ生成元のアプリケーションが意図した出力結果を提供することは難しい。
例えば、ケース２の出力結果を得ることを目的に作成した印刷データには、論理ページ３−４の間に章２の先頭ページ（論理ページ４）を表面に印刷するための白紙ページコマンドが設定されている。この印刷データの章紙（論理ページ１と４）の用紙タイプを画像形成装置上で再設定してインデックス紙に切り替えると、インデックス紙の裏面には印刷できない制約から、論理ページ２、３、５、６は１ページずつ後ろへシフトする。その結果、ケース２で必要だった論理ページ３と４との間の白紙ページが不要となる。しかし、情報処理装置上でデータ中に生成されている白紙ページは面付け制御用の白紙ページなのか、面付け制御とは関連の無い白紙ページなのかを画像形成装置側では判断出来ず削除できない。したがって、ケース２向けに生成した印刷データの用紙タイプを変更しただけでは、以下の様な出力結果となってしまう。
【００１０】
◆ケース２の用紙タイプのみをケース３向けに修正した場合
文書全体：両面設定
章の先頭が表にくるように制御する
章１  ↓                ↓    ↓    章２  ↓
論理ページ  ｜  論１  白紙  論２  論３  白紙  白紙  論４  白紙  論５  論６
用紙タイプ  ｜  タブ  タブ  普通  普通  普通  普通  タブ  タブ  普通  普通
両面設定    ｜  片          自動  自動  自動  自動  片          自動  自動
両面判定    ｜  表    裏    表    裏    表    裏    表    裏    表    裏
上記の理由から面付け制御用の白紙ページが挿入された印刷データの用紙タイプやフィニッシング設定が画像形成装置上で変更される場合を想定する必要がある。そして、画像形成装置が情報処理装置側から送られたデータに関して、面付け制御用に設定された白紙とそれ以外の目的の白紙とを区別できること、目的別に白紙の挿入・削除の必要性を判断できることが望ましい。
本発明はこの様な問題点に鑑みなされたもので、画像形成装置側で最終的な白紙挿入処理の判断を行えるようにすることを目的とする。
【課題を解決するための手段】
【００１１】
そこで、本発明は、フィニッシング情報を設定する設定手段と、前記設定手段で設定されたフィニッシング情報と、印刷データに含まれる各ページのページデータと、に基づいて、画像形成装置での面付け処理のための白紙挿入箇所を検出し、前記検出した白紙挿入箇所に仮白紙の挿入を指定する指定手段と、前記指定手段で仮白紙の挿入が指定された前記印刷データと、前記設定手段で設定されたフィニッシング情報と、を画像形成装置に送信する送信手段と、を有することを特徴とする。
また、本発明は、情報処理装置より、仮白紙の挿入が指定された印刷データと、フィニッシング情報と、を受信する受信手段と、前記受信手段で受信された、前記印刷データに含まれる白紙挿入の仮処理が行われたページデータと、前記フィニッシング情報と、に基づいて、面付け処理のための白紙挿入箇所への白紙挿入を確定する確定手段と、前記確定手段で確定された白紙挿入箇所へ白紙を挿入した印刷データを前記フィニッシング情報に基づき印字する印字手段と、を有することを特徴とする。
【発明の効果】
【００１２】
本発明によれば、画像形成装置側で最終的な白紙挿入処理の判断を行えるようにすることができる。
【図面の簡単な説明】
【００１３】
【図１】印刷システムのシステム構成の一例を示す図である。
【図２】情報処理装置の機能構成の一例を示す図である。
【図３】画像形成装置の機能構成の一例を示す図である。
【図４】情報処理装置のハードウェア構成の一例を示す図である。
【図５】画像形成装置のハードウェア構成の一例を示す図である。
【図６】情報処理装置の仮白紙指定の埋め込み処理に関する処理の一例を示すフローチャートである。
【図７】情報処理装置の印刷用論理ページの生成処理の一例を示すフローチャートである。
【図８】画像形成装置の面付け制御用の白紙挿入に関する処理の一例を示すフローチャートである。
【図９】図７の処理で情報処理装置が生成したＰＤＬデータを画像形成装置で受信・解析し、印刷ページの描画と属性情報の取得を行う処理の一例を示すフローチャートである。
【図１０】印刷ジョブに表紙属性を含むデータを情報処理装置で生成する場合の処理の一例を示すフローチャートである。
【図１１】表紙属性を含むデータを画像形成装置で受信した場合の白紙制御に関わる判定処理の一例を示すフローチャートである。
【図１２】インデックス属性に関して情報処理装置側の印刷データの生成処理の一例を示すフローチャートである。
【図１３】インデックス紙属性に関して画像形成装置の印刷データを受信した場合の処理の一例を示すフローチャートである。
【図１４】ＯＨＰシートの属性に関して情報処理装置側の印刷データの生成処理の一例を示すフローチャートである。
【図１５】ＯＨＰシート属性に関して画像形成装置の印刷データを受信した場合の処理の一例を示すフローチャートである。
【図１６】製本属性に関して情報処理装置側の印刷データの生成処理の一例を示すフローチャートである。
【図１７】製本属性に関する印刷データを受信した場合の画像形成装置側の処理の一例を示すフローチャートである。
【図１８】両面印刷に関する情報処理装置側の印刷データの生成処理の一例を示すフローチャートである。
【図１９】その印刷データを受信した場合の画像形成装置側の処理の一例を示すフローチャートである。
【図２０】Ｎｕｐ印刷に関する情報処理装置側の印刷データ生成処理の一例を示すフローチャートである。
【図２１】Ｎｕｐ印刷データを受信したときの画像形成装置側の処理の一例を示すフローチャートである。
【図２２Ａ】印刷データの構造を説明するための図（その１）である。
【図２２Ｂ】印刷データの構造を説明するための図（その２）である。
【図２２Ｃ】印刷データの構造を説明するための図（その３）である。
【図２２Ｄ】印刷データの構造を説明するための図（その４）である。
【図２２Ｅ】印刷データの構造を説明するための図（その５）である。
【図２２Ｆ】印刷データの構造を説明するための図（その６）である。
【発明を実施するための形態】
【００１４】
以下、本発明の実施形態について図面に基づいて説明する。
＜実施形態１＞
図１は、印刷システムのシステム構成の一例を示す図である。
印刷システムは、印刷ジョブを生成・投入する情報処理装置１０１と印刷ジョブを受信し、画像形成処理、フィニッシング処理等を行い、印刷物を出力する画像形成装置１０２とがネットワーク１００を通して接続されている。情報処理装置１０１は、画像形成装置１０２の機器構成情報を取得し、機器構成情報に基づいて印刷ジョブの生成・送信を行う。画像形成装置１０２は、情報処理装置１０１に提供する能力と機能とを通知し、印刷ジョブの受信・処理を行う。印刷システムには情報処理装置１０１及び画像形成装置１０２を操作するオペレータ１０３が存在する。オペレータ１０３は、情報処理装置１０１を用いて印刷ジョブの作成・投入するだけでなく、画像形成装置１０２の機器構成の変更作業や紙詰まり等のトラブル対応まで行う。オペレータ１０３は、画像形成装置１０２のＲＩＰ完了後データに対するフィニッシング設定の変更を指示、再印刷を行う。このとき、オペレータ１０３は、必要に応じてＲＩＰ完了後データの修正を行う。
【００１５】
図２は、情報処理装置１０１の機能構成の一例を示す図である。
印刷データ編集部２１４は、印刷データの文書の結合や各章（Ｃｈａｐｔｅｒ）毎に異なるカラー設定・フィニッシング処理等を実現する。印刷ジョブデータ生成部２０７は、印刷データ編集部２１４の指示を受けて、中間データから印刷ジョブを生成する。印刷ジョブ制御部２０４は、印刷ジョブデータ生成部２０７が生成した印刷ジョブを順番にスプーラ制御部２０３へ転送する。プロトコル制御部２０２は、スプーラ制御部２０３に対してＲＡＷ／ＬＰＲ等の印刷データ転送プロトコル、印刷設定制御部２０６に対してＭＩＢ等の機器情報交換プロトコルを提供している。印刷設定制御部２０６は、ネットワーク経由で取得した画像形成装置１０２の提供可能な機能の情報に基づいてＵＩ制御部２０５の画面の元になる選択リスト情報や各種設定間の排他処理等の禁則情報を生成する。この排他処理等の禁則情報は、印刷ジョブデータ生成部２０７や印刷データ編集部２１４に対しても提供される。印刷ジョブデータ生成部２０７は、面付け処理制御部２０８、ページ生成部２１０から構成される。ページ生成部２１０は、印刷データ編集部２１４の編集データをＰＤＬドライバ２１２、２１３／ドライバＳＤＫ２１１を通して論理印刷ページと呼ばれる、印刷ジョブに変換する。面付け処理制御部２０８は、ページ生成部２１０が生成した論理ページと印刷設定制御部２０６からのフィニッシング設定・画処理指示とに基づいて、面付け処理、面付けのための白紙挿入箇所の検出と白紙の仮挿入処理（白書の挿入の仮処理）とを行う。そして、ページ生成部２１０および面付け処理制御部２０８の処理に基づいて印刷ジョブが生成され画像形成装置１０２に送信される。
【００１６】
図３は、画像形成装置１０２の機能構成の一例を示す図である。
Ｎｅｔｗｏｒｋ  Ｉ／Ｆ  制御部２０１は、ＴＣＰ／ＩＰのＳｏｃｋｅｔ  Ｉ／Ｆをプロトコル制御部２０２に提供する。情報処理装置１０１は、ＲＡＷ／ＬＰＲの何れかの送信プロトコルでＰｏｓｔｓｃｒｉｐｔ／ＰＣＬ等の印刷ジョブ（ＰＤＬ）を送信する。画像形成装置１０２もＮｅｔｗｏｒｋ制御部３０２がＲＡＷ／ＬＰＲの通信プロトコルに対応しており、印刷ジョブを受信し、後述するＨＤＤ５０６に逐次、ストリームデータとして書き込みを行う。
印刷ジョブ制御部３０３は、Ｎｅｔｗｏｒｋ制御部３０２が印刷ジョブを受信すると、ＰＤＬ解析部３０６によるＰＤＬ展開処理と展開・ＲＩＰ済みデータの保存処理とを開始する。データ描画部３０８は、後述するＲＩＰ５０８、プリンタ画像処理部５０９を呼び出して、ＰｏｓｔＳｃｒｉｐｔ／ＰＣＬ等の印刷ジョブをイメージファイル、プリンタエンジンに最適化した画像ファイルへ変換させる。そして、データ描画部３０８は、最適化された画像ファイル（最適化画像ファイル）を、ページメモリ３０９を介してＨＤＤ５０６等に実装されるドキュメント保存部３１０、ページ保存部３１１にスプールする。印刷制御部３１３は、ＨＤＤ５０６上の最適化画像ファイルをエンジンＩ／Ｆ３１４を介してプリンタエンジンへ転送する。
このＰＤＬ展開処理において、仮白紙検出部３０７が情報処理装置１０１側で設定された仮白紙挿入指定を検出した場合、その情報がページ保存部３１１のページ属性に保存される。オペレータ１０３がドキュメント保存部の文書に対して、設定変更せずにそのまま印刷する場合、情報処理装置側の印刷指示をそのまま面付け制御部３０４に渡し、仮白紙挿入指示を確定させる。オペレータ１０３がジョブ設定変更画面３１２から印刷ジョブの設定を変更した場合、オペレータ１０３は、ジョブ設定変更画面３１２を通じてドキュメント保存部３１０に保存された印刷ジョブの設定情報を書き換える。画像形成装置において設定情報が変更された場合、面付け制御部３０４は、情報処理装置側で設定された仮白紙挿入指示のうち、オペレータが変更した設定情報に付随する仮白紙挿入指示を削除する。さらに、面付け制御部３０４は、オペレータが追加した設定情報に必要な白紙挿入指示を追加し、仮白紙挿入指示を確定する。
【００１７】
図４は、情報処理装置１０１のハードウェア構成の一例を示す図である。
ＳｙｓｔｅｍＢｕｓ４２０にはＣＰＵ４０１、ＲＡＭ４０２、ＵＩ  Ｋｅｙｂｏｒａｄ／Ｍｏｕｓｅ等のＩ／Ｆ４０３、  ＮｅｔｏｗｒｋＩ／Ｆ４０４、ＲＯＭ４０５、ＨＤＤ４０６が接続されていて、相互に通信を行う。印刷設定制御部２０６、印刷ジョブデータ生成部２０７、印刷データ編集部２１４等のソフトウェアは、ＣＰＵ４０１がＨＤＤ４０６等に記憶されているプログラムを実行することによって実現される。ＣＰＵ４０１が、プログラムに基づき処理を実行する際の一時的なデータはＲＡＭ４０２やＨＤＤ４０６に保持される。印刷ジョブはＮｅｔｗｏｒｋ  Ｉ／Ｆ４０４経由で画像形成装置１０２へ転送される。
【００１８】
図５は、画像形成装置１０２のハードウェア構成の一例を示す図である。
ＳｙｓｔｅｍＢｕｓ５２０にはＣＰＵ５０１、ＲＡＭ５０２、ＵＩ  Ｉ／Ｆ５０３、  ＮｅｔｏｗｒｋＩ／Ｆ５０４、ＲＯＭ５０５、ＨＤＤ５０６が接続されていて、相互に通信を行う。ＳｙｓｔｅｍＢｕｓ５２０上のコンポーネントは、Ｉｍａｇｅ  Ｂｕｓ  Ｉ／Ｆ５０７を経由して、ＩｍａｇｅＢｕｓ５３０に接続されたＲＩＰ５０８、プリンタ画像処理部５０９、印刷エンジンＩ／Ｆ５１０へアクセスする。印刷ジョブ制御部３０３、ＰＤＬ解析部３０６、面付け制御部３０４、白紙挿入判定部３０５等のソフトウェアは、ＣＰＵ５０１が、ＨＤＤ５０６等に記憶されているプログラムに基づき処理を実行することによって実現される。ＣＰＵ５０１が、プログラムに基づき処理を実行する際の一時的なデータはＲＡＭ５０２に保持される。ＵＩ  Ｉ／Ｆ５０３は、操作部５１１に接続されており、操作部５１１の信号を各モジュールへ通知する。Ｎｅｔｗｏｒｋ  Ｉ／Ｆ５０４は、ネットワーク経由で情報処理装置１０１からストリーム型の印刷ジョブ（ＰＤＬデータ）を受信し、ＨＤＤ５０６へ格納する。ＲＯＭ５０５には画像形成装置の起動・実行に必要な各種パラメータ及び、プログラムが格納されており、必要に応じて各ソフトウェアモジュールからアクセスされる。ＨＤＤ５０６は、ネットワーク経由で受信したＰＤＬデータの一時的な格納やＲＩＰ５０８、プリンタ画像処理部５０９のデータスワップ領域として各モジュールからアクセスされる。ＩｍａｇｅＢｕｓ  Ｉ／Ｆ５０７は、画像形成装置１０２のＳｙｓｔｅｍＢｕｓ５２０／ＩｍａｇｅＢｕｓ５３０を取り持つ。ＩｍａｇｅＢｕｓ  Ｉ／Ｆ５０７は、制御系ソフトウェアが動作するＳｙｓｔｅｍＢｕｓ５２０側とＩｍａｇｅＢｕｓ５３０上で動作するページ画像処理に関するモジュール側との通信を取り持つ。ＩｍａｇｅＢｕｓ５３０に接続されたＲＩＰ（ラスタイメージプロセッサ）５０８は、印刷ジョブをイメージファイルへ展開する。プリンタ画像処理部５０９は、ＲＩＰ５０８が生成したイメージファイルに対してプリンタエンジン５１２に適した解像度変換や補正処理を行う。エンジンＩ／Ｆ５１０は、プリンタ画像処理部５０９がエンジンＩ／Ｆ５１０を通して、印刷エンジンを制御するための通信Ｉ／Ｆである。
【００１９】
図６は、情報処理装置１０１の仮白紙指定の埋め込み処理に関する処理の一例を示すフローチャートである。
Ｓ６０２で印刷データ編集部２１４と印刷ジョブデータ生成部２０７とが連動して印刷ページを生成する。Ｓ６０３−Ｓ６０５では、印刷ジョブデータ生成部２０７が、表紙属性に関する設定の有無を確かめ、必要な面付け処理と仮白紙挿入とを行う。詳細は後述する図１０で説明する。Ｓ６０６−Ｓ６０７では、印刷ジョブデータ生成部２０７が、タブ属性に関する設定の有無を確かめ、必要な面付け処理と仮白紙挿入を行う。詳細は後述する図１３で説明する。Ｓ６０８−Ｓ６０９では、印刷ジョブデータ生成部２０７が、ＯＨＰシート属性に関する設定の有無を確かめ、必要な面付け処理と仮白紙挿入とを行う。詳細は後述する図１５で説明する。印刷ジョブデータ生成部２０７が、Ｓ６１１−Ｓ６１２では、Ｎｕｐ処理の有無、Ｓ６１３−Ｓ６１４では、製本印刷の有無、Ｓ６１５−Ｓ６１６では、両面印刷の有無を確かめ、必要な面付け処理と仮白紙挿入とを行う。詳細はそれぞれ後述する図２０・図１６・図１８で説明する。
【００２０】
図７は、情報処理装置１０１の印刷用論理ページの生成処理の一例を示すフローチャートである。
図７に示す処理は情報処理装置１０１のページ生成部２１０で行われ、印刷データ編集部２１４の編集データをＰＤＬドライバ２１２、２１３／ドライバＳＤＫ２１１を通して印刷データ（論理印刷ページとも呼ばれる）に変換する。本実施形態のデータ構造では、後述の
図２２ＡのＰＤＬデータ  ２２３０
図２２ＢのＰＤＬデータ  ２３２０−１、２３７０−１
図２２ＣのＰＤＬデータ  ２４２０−１
図２２ＤのＰＤＬデータ  ２６３０、２６４０−１、２６６０
図２２ＥのＰＤＬデータ  ２７２０
図２２ＦのＰＤＬデータ  ２５２０
が図７の処理で生成されるデータになる。
各ステップについて説明する。Ｓ７０２では、ページ生成部２１０が、印刷データ編集部２１４の指示に従い、論理ページの画像を生成する。Ｓ７０３では、ページ生成部２１０が、各論理ページを紙に印字するときの給紙メディアを指定する。後述の実施形態では「普通紙」、「厚紙」、「ＯＨＰ」、「インデックス紙」等が指定される。Ｓ７０４では、ページ生成部２１０が、各論理ページ画像を印刷する用紙サイズを指定する。Ｓ７０２の画像サイズと一致することが望ましいが、ページ生成部２１０が、印刷データ編集部２１４の指示に従い、Ａ４サイズの画像をＡ３用紙に印刷するケースもある。よって、必ずしもＳ７０２とＳ７０４とのサイズが一致するわけではない。Ｓ７０５は、ページ生成部２１０が、印刷データ編集部２１４の指示に従い、章単位に論理ページの画像を生成する。そしてＳ７０６において全ての章のデータが生成されて、図７の処理が終了する。
【００２１】
図８は、画像形成装置１０２の面付け制御用の白紙挿入に関する処理の一例を示すフローチャートである。
Ｓ１４０２で、ＰＤＬ解析部３０６と印刷ジョブ制御部３０３とが連動して印刷ページを生成する。詳細は後述する図９で説明する。Ｓ１４０３では、特殊ページ設定の有無が判定される。Ｓ１４０４−Ｓ１４０６では、面付け制御部３０４が、表紙属性に関する設定の有無を確かめ、必要な面付け処理と仮白紙挿入とを行う。詳細は後述する図１２で説明する。Ｓ１４０７−Ｓ１４０９では、面付け制御部３０４が、タブ属性に関する設定の有無を確かめ、必要な面付け処理と仮白紙挿入とを行う。詳細は後述する図１４で説明する。Ｓ１４１０−Ｓ１４１２では、面付け制御部３０４が、ＯＨＰシート属性に関する設定の有無を確かめ、必要な面付け処理と仮白紙挿入とを行う。詳細は後述する図１６で説明する。Ｓ１４１３では仕上げ設定の指示と仕上げ指示を実行できるかが判定される。面付け制御部３０４が、Ｓ１４１４−Ｓ１４１６ではＮｕｐ処理の有無、Ｓ１４１７−Ｓ１４１９では製本印刷の有無、Ｓ１４２０−Ｓ１４２２では両面印刷の有無を確かめ、必要な面付け処理と仮白紙挿入を行う。詳細はそれぞれ後述する図２１・図１７・図１９で説明する。
以降、表紙属性（図１０と図１１）、インデックス紙属性（図１２と図１３）、ＯＨＰシート属性（図１４と図１５）、製本指定属性（図１６と図１７）、両面指定属性（図１８と図１９）、Ｎｕｐ指定属性（図２０と図２１）、に関して情報処理装置の仮白紙挿入と画像形成装置の白紙挿入確定、或いは白紙挿入削除処理とを対比させて説明する。
【００２２】
図９は、図７の処理で情報処理装置１０１が生成した印刷ジョブを画像形成装置１０２で受信・解析し、印刷ページの描画と属性情報の取得を行う処理の一例を示すフローチャートである。
Ｓ１５０２では、ＰＤＬ解析部３０６が、ＰＤＬ言語で記述された描画指示に従い画像を描画する。
Ｓ１５０３では、ＰＤＬ解析部３０６が、ＰＤＬ言語で指定された用紙タイプを検出し、「普通紙」、「厚紙」、「ＯＨＰ」、「インデックス紙」等、画像形成装置が給紙するときの用紙タイプを決定する。
Ｓ１５０４では、ＰＤＬ解析部３０６が、ＰＤＬ言語で指定された用紙サイズを検出し、Ｓ１５０２で描画した画像をＳ１５０４で検出した用紙サイズから余白領域を除いた、描画領域に載せる。
Ｓ１５０２〜Ｓ１５０５までの処理は、章を構成するページ単位のループ処理であり、ＰＤＬ解析部３０６は、章を構成するページが終わるまではＳ１５０２−Ｓ１５０５を繰り返す。Ｓ１５０２−Ｓ１５０６までの処理は、ジョブ内の章単位のループ処理で、ＰＤＬ解析部３０６は、ジョブ中の章が終了するまで繰り返す。
本実施形態のデータ構造では、図７と同様、
図２２ＡのＰＤＬデータ  ２２３０
図２２ＢのＰＤＬデータ  ２３２０−１、２３７０−１
図２２ＣのＰＤＬデータ  ２４２０−１
図２２ＤのＰＤＬデータ  ２６３０、２６４０−１、２６６０
図２２ＥのＰＤＬデータ  ２７２０
図２２ＦのＰＤＬデータ  ２５２０
が画像形成装置上で解析・生成された印刷ジョブとなる。
【００２３】
図１０は、表紙属性を含む印刷ジョブを情報処理装置で生成する場合の処理の一例を示すフローチャートである。図１１は、表紙属性を含む印刷ジョブを画像形成装置で受信した場合の白紙制御に関わる判定処理の一例を示すフローチャートである。
ユーザ（オペレータ）は、情報処理装置１０１の印刷データ編集部２１４から表紙を含む印刷物を生成するための設定操作を行う。この設定操作の設定内容は、印刷設定制御部２０６を通じて印刷ジョブデータ生成部２０７に通知される。図２２Ａに表紙・裏表紙の設定を含む印刷ジョブの構造を示す。印刷ジョブは、ジョブチケット２２１０とＰＤＬデータ２２３０との２つから構成される。ジョブチケット２２１０は、印刷ジョブの先頭に付加され、フィニッシング設定等のジョブ単位での各種パラメータの集合である。ジョブチケットは、フィニッシング情報の一例である。属性１（２２１１）は、表表紙に関する指定情報、属性２（２２２１）は、裏表紙に関する指定情報から構成される。表表紙・裏表紙共に同一の構造となっており、表紙の印刷面設定の情報は２２１２、２２２２、表紙の給紙先の設定情報は２２１３／２２２３、表紙の用紙タイプの情報は２２１４、２２２４に設定される。同様に、表紙の用紙サイズの情報は２２１５−２２１７、２２２５−２２２７、給紙方向は２２１８／２２２８に設定される。ＰＤＬデータ２２３０は、２段階で生成される。実際に印刷するページデータ２２３１、２２３３、２２３４〜２２３５、２２３７は、Ｓ７０２〜Ｓ７０６にて生成される。白紙画像データ（仮白紙のページデータ）２２３２、２２３６は、Ｓ８０２、Ｓ８０４で生成される。ＰＤＬデータの先端２ページ２２４０は表紙用、終端２ページ２２４２は裏表紙用に割り当てる。残りのページ２２４１は本文用データとなる。
【００２４】
次に情報処理装置の印刷データ生成処理フローについて説明する。Ｓ８０２−Ｓ８０５までの処理は、表紙の表面に印刷するＰＤＬ論理ページの印字する・しないを決定する処理である。表紙の面付け制御は、Ｓ８０２〜Ｓ８０８又はＳ８０９が該当し、面付け処理制御部２０８が処理を行う。仮白紙挿入判定部２０９は、白紙を挿入するか否かの仮判定を担っておりＳ８０２／Ｓ８０４、及びＳ８０７／Ｓ８０９の処理に該当する。
ユーザが表表紙、裏表紙の外・内の何れかに印字する場合、印刷設定制御部２０６は、ユーザの選択に基づき図７で生成したＰＤＬページからＳ８０３およびＳ８０８にて先頭と終端ページとの２２３１、２２３７を表紙印刷用として選択する。このとき、表紙属性の用紙サイズ・タイプ等の情報２２１４〜２２１７、２２２４〜２２２７は、印刷用のページデータ２２３１／２２３７に対応する。ユーザが表紙に印字しないことを指定した場合、印刷設定制御部２０６は、Ｓ８０４およびＳ８０９で表紙の用紙サイズ・タイプを本文２２３３−２２３５のＰＤＬページ情報から補完し、挿入用の仮白紙のページデータ２２３２と２２３６を設定する。Ｓ８０７−Ｓ８０９までは表紙の裏面に対して印字するか否かを判定するものであり、対象が表紙の裏面であることを除けば、Ｓ８０２−Ｓ８０５までの処理と同等である。印刷設定制御部２０６は、Ｓ８０６での判定処理において、Ｓ８０２〜Ｓ８０５までの処理で決定した表紙の給紙メディアがサイズや坪量等の諸条件から両面印刷可能か判断し、不可能な場合はＳ８０７−Ｓ８０９までの処理を省略する。
【００２５】
次に画像形成装置の処理について説明する。Ｓ１６０２では、ＰＤＬ解析部３０６が、受信した印刷ジョブを解析し、情報処理装置側で決定した表紙の用紙サイズ（Ａ４等）や用紙タイプ（普通紙等）情報を検出する。次にＳ１６０３にて、面付け制御部３０４が、表紙の表面に対する設定情報があるか、設定情報に矛盾が無いかの判断を行う。例えば、表紙の用紙サイズがＡ２等の印刷不可能な値が指定されている場合、面付け制御部３０４は、実行不可能と判断してＳ１６０５へ進む。設定情報に問題が無い場合、面付け制御部３０４は、Ｓ１６０４へ進む。Ｓ１６０４では、面付け制御部３０４が、表紙の表面に対する指定を解析し、印字すると指示されている（Ｓ８０３、８０５のルートで生成されたデータ）場合は、表紙の表面に対応するＰＤＬデータを表面に印字することを確定する。また、Ｓ１６０４の処理として、面付け制御部３０４は、表紙の表面に印字しないと指示されている（Ｓ８０４のルートで生成されたデータ）場合は、表紙の表面に対して情報処理装置が設定した仮白紙挿入を白紙挿入として確定させる。Ｓ１６０６〜Ｓ１６０８は、表紙の裏面に対して行われるものであり、その内容はＳ１６０３〜Ｓ１６０５と同等のため、説明を省略する。
Ｓ１６０３にて表紙の表面に対して印刷することが指定されているものの、画像形成装置上の保護処理により、表紙の生成処理が不可能と判断した場合、面付け制御部３０４は、表紙指定を解除する（Ｓ１６０５）。例えば、表紙の生成処理が不可能と判断と判断されるケースは、ＰＤＬデータのサイズが物理的に給紙不可能なサイズ（例えばＡ２／Ａ１等）で画像処理出来ない場合である。その他に、Ａ３サイズ等、画像処理装置が短辺のみ給紙可能なケースにおいて、表紙属性の給紙方向２２１８／２２２８に長辺が設定されたケースもある。この様な場合、面付け制御部３０４は、表紙の指定を解除する。Ｓ１６０５は、Ｓ１６０３で表紙に関わる印刷・給紙制御が不可能と判断した場合の保護処理である。本実施形態では仮挿入された白紙ページそれぞれに、その挿入意図を持たせているため、表紙の処理でエラーとなった場合、表紙制御用の白紙のみを解除できる。
表紙に対して「印字する」２２１２／２２２２との指定があるにもかかわらず、面付け制御部３０４が、最終判定で印字しない、或いは印字不可能と判断した場合、ページデータ２２３１／２２３７を表紙ではなく、本文データとして印字する。このためにＳ１６０５では、面付け制御部３０４が、表紙の表にマッピング予定だったＰＤＬデータのページデータ２２３２／２２３６を消去し、表紙属性２２１１／２２２１をリセットすることで、表紙との関係を解除する。表紙を設定するものの表紙に「印字しない」場合、面付け制御部３０４は、Ｓ８０４で設定された表紙の面付け制御のための仮白紙挿入を解除し、不要な白紙データが挿入されないようにする。
【００２６】
図１２は、インデックス属性に関して情報処理装置側の印刷ジョブの生成処理の一例を示すフローチャートである。図１３は、インデックス紙属性に関して画像形成装置が印刷ジョブを受信した場合の処理の一例を示すフローチャートである。ユーザは、情報処理装置１０１の印刷データ編集部２１４からインデックス紙を含む印刷物を生成するための設定操作を行う。この設定操作の設定内容は、印刷設定制御部２０６を通じて印刷ジョブデータ生成部２０７に通知される。図２２Ｂにインデックス紙の設定を含む印刷ジョブの構造を示す。印刷ジョブはジョブチケット２３１０とＰＤＬデータ２３２０−１との２つから構成される。ジョブチケット２３１０は、印刷ジョブの先頭に付加されるもので、フィニッシング設定等のジョブ単位での各種パラメータの集合である。これらは情報処理装置１０１の印刷データ編集部２１４からの設定情報に従い生成される。
属性３（２３３０）は、インデックス紙に関する指定情報から構成される。インデックス紙のチケット情報は次の通り。ジョブ中にインデックス紙が含まれるかのフラグは２３３１、ジョブ中のインデックス紙の挿入枚数は２３３２、ジョブ中のインデックス紙の挿入箇所は２３３３、インデックス紙の耳部分に印字するか否かは２３３４−１に格納される。また、インデックス紙のサイズ情報は２３３５−２３３７、インデックス紙毎の坪量を示す用紙タイプは２３３８、指定給紙段２３３９、給紙方向は２３４０に格納される。
片面印刷ジョブの仮白紙挿入前データを示すのが、ジョブチケット２３１０とＰＤＬデータ２３２０−１とであり、これに仮白紙挿入処理を行ったものがジョブチケット２３１０とＰＤＬデータ２３２０−２とである。印刷ジョブを出力したときの仕上がりを図示したのが２３５１である。同様に、両面印刷ジョブの仮白紙挿入前のデータを示すのが、ジョブチケット２３６０とＰＤＬデータ２３７０−１とであり、これに白紙挿入処理を行ったものがジョブチケット２３６０とＰＤＬデータ２３７０−２とである。印刷ジョブを出力したときの仕上がりを図示したのが２３８１、２３８２となる。
ＰＤＬデータ２３２０−１、２３２０−２、２３７０−１、２３７０−２は、情報処理装置１０１で生成されるが、ジョブチケット２３１０、２３６０の諸条件により処理が異なる。
【００２７】
情報処理装置にて行われる処理フローの詳細を図１２に示す。Ｓ９０２において、印刷ジョブデータ生成部２０７は、インデックス紙のページそのものに印字するか否かを判定する。Ｓ９０２で「印字する」と判定した場合、Ｓ９０３において、印刷ジョブデータ生成部２０７は、印刷ジョブのＰＤＬデータ２３２０−１、２３７０−１を生成する。Ｓ９０２で「印字しない」と判定した場合、印刷ジョブデータ生成部２０７は、Ｓ９０４で２３２０−２に示す様なインデックス紙のページ２３２５、２３２６に仮白紙を設定したデータを生成する。Ｓ９０２で「印字する」と判定した場合、印刷ジョブデータ生成部２０７は、Ｓ９０３で２３７０−１に示す通り、インデックス紙のページ２３７１、２３７４にＰＤＬデータを割り当てる。
インデックス紙挿入に伴う仮白紙の発行パターンは、片面／両面の印刷設定により異なる。Ｓ９０５では、印刷ジョブデータ生成部２０７が、両面印刷が指定されている時に裏面白紙処理が必要かの判断を行う。両面ジョブの場合、印刷ジョブデータ生成部２０７は、ＰＤＬデータ２３７０−１に対してインデックス紙の裏面への印字の有無を確認する（Ｓ９０６）。Ｓ９０６で「印字しない」と判定した場合、印刷ジョブデータ生成部２０７は、Ｓ９０８で２３７０−２に示す通りインデックス紙のページの裏（２３７７、２３７８）に仮白紙を設定したデータを生成する。Ｓ９０６で「印字する」と判定した場合、印刷ジョブデータ生成部２０７は、Ｓ９０７でインデックス紙の裏ページに印刷データを割り当てる。
【００２８】
続いて画像形成装置において行われる処理フローについて説明する。図１３において、Ｓ１７０２では、ＰＤＬ解析部３０６が、受信した印刷ジョブを解析し、ジョブチケット２３３０の挿入ページ番号２３３３、用紙サイズ２３３５等から、インデックス紙が割り当てられた論理ページ番号と用紙サイズとを復元する。Ｓ１７０３では、面付け制御部３０４が、指定されたインデックス紙の用紙サイズ２３３５・用紙タイプ２３３８・指定給紙段２３３９・給紙方向２３４０等をチェックする。そして、面付け制御部３０４は、画像形成装置１０２が指定された条件でインデックス紙への印字やインデックス紙の挿入処理が実現可能か判断する。Ｓ１７０３にて処理可能と判断した場合、面付け制御部３０４は、Ｓ１７０４に進む。Ｓ１７０３で処理不可能と判断した場合、面付け制御部３０４は、Ｓ１７０５へ進む。Ｓ１７０５では、面付け制御部３０４は、挿入ページ番号２３３３、印字設定２３３４−１、両面モード指定２７５１から無効とするべきインデックス紙を特定する。インデックス紙に印字しない、仮白紙によって成り立っている２３２５、２３２６に関して、面付け制御部３０４は、仮白紙挿入をキャンセルし、インデックス紙のジョブチケット２３３０も解除する。
インデックス紙に印字するケースにおいて、面付け制御部３０４は、同様にジョブチケット２３３０を解除し、インデックス紙に印字予定だった画像２３７１、２３７４を通常の印刷データに変更し、インデックス紙とのマッピングを解除する。Ｓ１７０３でインデックス紙への印刷・挿入が可能と判断した場合、面付け制御部３０４は、Ｓ１７０４にてインデックス紙の表面用の白紙挿入（２３２５、２３２６）を確定させる。Ｓ１７０６はジョブチケット２３１０の両面指定属性２７５０にて両面設定されているかの判定処理で、両面設定されている場合、面付け制御部３０４は、Ｓ１７０７にてインデックス紙の裏面にある仮白紙挿入ページ２３７７、２３７８を確定させる。Ｓ１７０６でジョブが両面印刷困難と判定された場合、Ｓ１７０８に進み、面付け制御部３０４は、仮白紙挿入ページ２３７７、２３７８をキャンセル、ジョブチケット２７３０の両面指定属性を片面に変更する。これにより、ＰＤＬデータ２３７０−２を２３７０−１の形に戻し、仮白紙を解除した状態で片面出力することが出来る。
Ｓ１７０６で両面印刷不可と判断するケースは様々である。より具体的な例としては画像形成装置１０２に給紙反転パスが未装着の場合、反転パスの不具合から縮退動作の場合、本文２３７２、２３７３、２３７５、２３７６のメディア指定で、厚紙等の両面印刷できないものが指定された場合がある。
【００２９】
図１４は、ＯＨＰシートの属性に関して情報処理装置側の印刷ジョブの生成処理の一例を示すフローチャートである。図１５は、ＯＨＰシート属性に関して画像形成装置の印刷ジョブを受信した場合の処理の一例を示すフローチャートである。
ユーザは、情報処理装置１０１の印刷データ編集部２１４からＯＨＰシートを含む印刷物を生成するための設定操作を行う。この設定操作の設定内容は、印刷設定制御部２０６を通じて印刷ジョブデータ生成部２０７に通知される。図２２ＣにＯＨＰシートの設定を含む印刷ジョブの構造を示す。印刷ジョブは、ジョブチケット２４１０とＰＤＬデータ２４２０−１との２つから構成される。ジョブチケット２４１０は、印刷ジョブの先頭に付加されるもので、情報処理装置１０１の印刷データ編集部２１４からの設定情報に従い生成される。
属性４（２４２０）は、ＯＨＰシートに関する指定情報から構成される。構成はＯＨＰ中挿しのＯＮ／ＯＦＦ設定２４２１、ＯＨＰ中挿しがＯＮの場合の挿入箇所の指定２４２２、挿入した中挿し紙に印字するか否かの指定２４２３、中挿し用紙の詳細情報２４２４〜２４２８で構成される。用紙サイズの詳細は用紙サイズ情報２４２４、用紙の幅２４２５、用紙の高さ２４２６、用紙タイプ２４２７、給紙方向２４２８に格納される。
【００３０】
ＯＨＰシート中挿し印刷ジョブにおいて、仮白紙の挿入前データを示すのが、ジョブチケット２４１０とＰＤＬデータ２４２０−１とであり、これに仮白紙挿入処理を行ったものが、ジョブチケット２４１０とＰＤＬデータ２４２０−２とである。そして、印刷ジョブの出力結果が、２４４０となる。
ＰＤＬデータ２４２０−１、２４２０−２は、情報処理装置１０１で生成されるが、ジョブチケット２４１０の条件により処理が異なる。情報処理装置において実行される処理フローの詳細を図１４に示す。
Ｓ１００２〜Ｓ１００３までは、ＰＤＬデータの用紙タイプがＯＨＰシートの場合の処理であり、ＰＤＬデータ２４３１、２４３５を生成するステップである。Ｓ１００２では、印刷ジョブデータ生成部２０７が、ジョブチケット２４１０を生成する。Ｓ１００３では、印刷ジョブデータ生成部２０７が、Ｓ７０３にて生成したジョブチケット２４１０、ＰＤＬデータ２４２０−１をチェックし、用紙サイズ：Ａ４／ＬＴＲ、用紙タイプ：ＯＨＰシートとしている論理ページを把握する。Ｓ１００４では、印刷ジョブデータ生成部２０７が、ＯＨＰシートに中挿し紙を設定するか判断する。中挿し紙を設定しない場合は、印刷ジョブデータ生成部２０７が、設定情報２４２１を「無し」として、そのまま、印刷ジョブの生成を終了する。中挿し紙を挿入する場合は、印刷ジョブデータ生成部２０７が、Ｓ１００５で設定情報を「有り」として、挿入ページ番号２４２２、用紙サイズ情報２４２４〜２４２６を生成する。Ｓ１００６では、印刷ジョブデータ生成部２０７が、中挿し紙に印字するかの判断を行う。印字する場合は、印刷ジョブデータ生成部２０７が、２４２３の値を「印字する」としてＳ１００７へ進む。印字しない場合は、印刷ジョブデータ生成部２０７が、２４２３の値を「印字しない」としてＳ１００８へ進む。Ｓ１００７では、印刷ジョブデータ生成部２０７が、Ｐ１（２４３１）、Ｐ４（２４３５）の次のページにＰ１'（２４３２）、Ｐ４'（２４３６）を印刷ページとして挿入、それぞれにＰ１／Ｐ４と同じデータを参照させる。このとき、印刷ジョブデータ生成部２０７は、設定する用紙タイプ２４２７はＯＨＰシート以外の普通紙等を設定する。Ｓ１００８では、印刷ジョブデータ生成部２０７は、Ｓ１００７とは異なり、Ｐ１（２４３１）、Ｐ４（２４３５）の次のページにＰ１'（２４３２）、Ｐ４'（２４３６）に仮白紙を挿入する。
【００３１】
続いて画像形成装置にて行われる処理フローについて説明する。図１５において、Ｓ１８０２で、ＰＤＬ解析部３０６は、ジョブチケットの挿入ページ番号２４３２から受信データ内のＯＨＰシートの位置を確認し、ＰＤＬデータからＯＨＰシートのメディアサイズ・タイプを復元する。Ｓ１８０３において、面付け制御部３０４は、ＯＨＰシートの印字用に当該ＯＨＰシートに印刷されるデータの鏡像を作成する。Ｓ１８０４において、面付け制御部３０４は、ジョブチケット２４２０の挿入ページ番号２４２２に指定されたＰＤＬデータ２４３１、２４３５をチェックし、ＯＨＰシートとしての給紙条件を満たしているかチェックする。給紙条件を満たす場合は、Ｓ１８０５へ進み、面付け制御部３０４は、ＯＨＰシートの表面にＰ１（２４３１）、Ｐ４（２４３５）の鏡像データを印字する。給紙条件を満たさない場合は、Ｓ１８０６へ進み、面付け制御部３０４は、Ｐ１（２４３１）、Ｐ４（２４３５）の印刷用鏡像データを削除する。更に、面付け制御部３０４は、中挿し紙用の仮白紙挿入があれば、削除する。
Ｓ１８０７において、面付け制御部３０４は、ＯＨＰシート中挿し紙に印字するか否かの判定を行い、「印字する」場合は、Ｓ１８０８に進む。Ｓ１８０８において、面付け制御部３０４は、Ｓ１００７でＯＨＰシートと同一のＰＤＬデータを参照させたＰ１'（２４３２）、Ｐ４'（２４３６）を印刷ページとして確定させる。Ｓ１８０７にて「印字しない」場合は、Ｓ１８０９において、面付け制御部３０４は、中挿し紙の仮白紙挿入を確定させる。Ｓ１８０６／Ｓ１８１０において、ＯＨＰシートへの割り付けや、中挿し紙の設定が解除されるのはＯＨＰを給紙不可能な画像形成装置に対して、ＯＨＰシートを指定した印刷指示を発行した場合や、サポート外のＯＨＰサイズを指定された場合等が考えられる。
【００３２】
図１６は、製本属性に関して情報処理装置側の印刷ジョブの生成処理の一例を示すフローチャートである。図１７は、製本属性に関する印刷ジョブを受信した場合の画像形成装置側の処理の一例を示すフローチャートである。図２２Ｄに製本属性を含む印刷データのデータ構造とその出力結果を示す。
ユーザは、情報処理装置の印刷データ編集部２１４から製本設定が反映された印刷物を生成するための設定操作を行う。この設定操作の設定内容は、印刷設定制御部２０６を通じて印刷ジョブデータ生成部２０７に通知される。印刷ジョブデータ生成部２０７は、図２２Ｄに示すジョブチケット２６１０とＰＤＬデータ２６３０、２６４０−１、２６６０からなる印刷ジョブを生成する。Ｓ７０２〜Ｓ７０６において、論理印刷ページデータが生成され、Ｓ１１０２において、印刷ジョブデータ生成部２０７は、製本用にサイズ・タイプを変更する。例えば、印刷ジョブデータ生成部２０７は、Ａ４とＡ４Ｒの画像が混在している場合、Ａ４Ｒのページを９０度回転させる等の処置を行う。
ジョブチケット２６１０の製本属性詳細を２６１４に示す。２６１５は、製本設定のＯＮ／ＯＦＦを示し「する」となっている場合のみ画像形成装置が製本用の面付け処理を実行する。「しない」となっている場合は、仮白紙挿入や２Ｕｐ両面印刷等の製本面付け制御をリセットして出力する。２６１６は、製本の開き方向に関する設定で「右開き」・「左開き」の仕上げを選択する。２６１７は、製本用に２ＵＰした後の論理ページの用紙タイプを指定する。ここで普通紙・厚紙等、具体的に指定された場合、印刷ジョブデータ生成部２０７は、２ＵＰ前の論理ページの用紙タイプを破棄して２ＵＰ後の論理ページに２６１７の用紙タイプを設定する。２６１８は、サドル折りの指定で２ＵＰ両面での製本面付けした出力結果を２つ折りするか否かを指定する。２６１９〜２６２２は、２ＵＰ処理時の仕上がりサイズ情報、２６２３〜２６２５は、２ＵＰ処理対象となる２６４０−１、２６４０−２の本文用紙サイズの情報が設定される。
ＰＤＬデータは３部構成となっており、製本の表表紙の外側・内側のＰＤＬデータ２６３０、製本時の本文データ２６４０−１、２６４０−２、製本時の裏表紙の内側・外側２６５０である。印刷ジョブデータ生成部２０７は、本文ページにおいて章単位の見出しが表面になるよう面付け処理を行う。章の区切りページは本文データ２６４０−１、２６４０−２の２６４１、２６４５、２６５１である。これらの章のページが表に印刷されるように仮白紙を挿入した本文データが２６４０−２である。２６４５が表になるよう挿入された仮白紙ページが２６４４である。２６５１が表になるよう挿入された仮白紙ページが２６５０である。
【００３３】
Ｓ７０２〜Ｓ７０６の処理とＳ１１０２の処理とで仮白紙挿入前の製本印刷ジョブが生成される。Ｓ１１０３において、印刷ジョブデータ生成部２０７は、章の位置を考慮した面付け補正が必要か判定を行う。必要と判断した場合はＳ１１０４において、印刷ジョブデータ生成部２０７は、章紙が両面印刷時の開き方向、表側にくるよう章紙の前に仮白紙２６４４、２６５０を挿入する。次にＳ１１０５において、印刷ジョブデータ生成部２０７は、本文データ２６４０−２のページ数を確認、２ＵＰ両面向けに４の倍数になっているか否かを確認する。２ＵＰ両面処理にページ数が足りない場合、印刷ジョブデータ生成部２０７は、仮白紙２６５２を製本面付け用に追加する。２６７０、２６７１に想定される出力結果を示す。２６７０は、出力用紙の表側の面付け状態を表わす。２６７１は、出力用紙の裏側の面付け状態を表わす。
【００３４】
図１７において、Ｓ２００２では、面付け制御部３０４は、ジョブチケットの２６１５にて製本指定を確認し、「する」場合はＳ２００３へ、「しない」場合は製本面付けにからむ仮白紙挿入をキャンセルするため、Ｓ２０１０へ進む。Ｓ２００３〜Ｓ２００４において、面付け制御部３０４は、製本レイアウト後、表紙ページに割り当てられるＰＤＬデータ２６３０、２６５０のデータをチェックする。面付け制御部３０４は、ここで表表紙の表・裏で異なる用紙サイズや用紙タイプが指定されていると２ｕｐ両面印刷が不可能と判断し、製本処理をリセットする。Ｓ２００５において、面付け制御部３０４は、本文のＰＤＬデータ２６４０−２のページ情報をスキャンし、章紙の仮白紙挿入があれば、仮白紙を含めて面付け位置を再計算する。
面付け制御部３０４は、章紙が開き方向の表に印字されることが確認できればＳ２００６に進み、情報処理装置側の面付け処理に何らかのズレがあり、裏に面付けされる場合はＳ２００７に進む。Ｓ２００７において、面付け制御部３０４は、仮白紙ページ２６４４、２６５０を削除する。Ｓ２００８において、面付け制御部３０４は、２６３０、２６４０−２、２６５０に含まれるＰＤＬデータ全体から２ｕｐ処理、及びその両面印刷が可能か判断する。製本用の面順変更、２ｕｐ処理、両面印刷の何れかで不具合が発生した場合、面付け制御部３０４は、Ｓ２０１０へ進み、製本面付け用の仮白紙２６５２を削除する。処理が成功した場合は、面付け制御部３０４は、Ｓ２００９へ進み、仮白紙ページを白紙ページとして確定させる。そして、Ｓ２０１１において、面付け制御部３０４は、製本レイアウトを行い、印刷する。更に２６１８でサドル指定がされている場合は、Ｓ２０１２において、面付け制御部３０４は、製本出力の枚数を確認する。規定枚数以下のときは、Ｓ２０１３において、面付け制御部３０４は、折り処理を行う。出力枚数がサドル折り可能な枚数を超える場合、Ｓ２０１４において、面付け制御部３０４は、サドル折りを解除して終了する。
【００３５】
製本印刷の実施形態では、章紙の面制御と製本面付けのための面制御との２種類の仮白紙を使っている。これら２つの仮白紙は情報処理装置側でその種別を併せて記録する。このため、画像形成装置側で目的別に仮白紙を確定、或いは削除することができる。Ｓ２００５、Ｓ２００６、Ｓ２００７では章紙制御の仮白紙を白紙として確定させるか判断し、Ｓ２００８、Ｓ２００７では、章紙制御の白紙のみを確定、或いは削除する。このように本実施形態の構成等によれば、画像形成装置側の最終的な出力形態にあわせて白紙の制御を実現することができる。
【００３６】
図１８は、両面印刷に関する情報処理装置側の印刷ジョブの生成処理の一例を示すフローチャートである。図１９は、その印刷ジョブを受信した場合の画像形成装置側の処理の一例を示すフローチャートである。図２２Ｅでは両面属性を含む印刷ジョブのデータ構造とその想定する出力結果を示す。
ユーザは、情報処理装置１０１の印刷データ編集部２１４から両面設定が反映された印刷物を生成するための設定操作を行う。この設定操作の設定内容は印刷設定制御部２０６を通じて印刷ジョブデータ生成部２０７に通知される。印刷ジョブデータ生成部２０７では、図２２Ｅに示すジョブチケット２７１０とＰＤＬデータ２７２０とからなる印刷ジョブを生成する。ジョブチケット２７１０の両面指定属性２７５０は、「片面印刷」か「両面印刷」の何れかを示すフラグ（利用面モード指定）２７５１である。「両面印刷」となっている場合のみ、画像形成装置上で両面印刷用の仮白紙を確定させる。「片面印刷」となっている場合、画像形成装置上で仮白紙挿入制御をリセットし、出力する。
【００３７】
情報処理装置側の両面印刷データの生成処理を、図１８を用いて説明する。
Ｓ１３０２〜Ｓ１３０８において、印刷ジョブデータ生成部２０７は、ＰＤＬデータの章紙単位で枚数カウント、両面印刷時の総ページ数が偶数になるように仮白紙挿入の処理を行う。説明で用いるＰＤＬデータの例である２７２０は、章紙を含まないため、印刷ジョブデータ生成部２０７は、ジョブ２７２０全体を１つの章と見なす。次にＳ１３０３に進み、印刷ジョブデータ生成部２０７は、章を構成するＰＤＬデータ（ページ）が両面印刷可能か確認する。ここでは、印刷ジョブデータ生成部２０７は、用紙タイプやサイズが画像形成装置内で両面搬送可能な条件を満たしているか確認する。表と裏とに貼り付ける場合、その２ページの用紙サイズや用紙タイプは同一でなければならない。この条件を満たせない場合、印刷ジョブデータ生成部２０７は、処理対象の２ページの中の前ページだけ両面設定を解除し、片面で印刷するよう設定する。印刷ジョブデータ生成部２０７は、後のページに関し、その次のページと両面可能か再判定を行う。
印刷ジョブデータ生成部２０７は、Ｓ１３０３〜Ｓ１３０５までの処理をＰＤＬデータの各ページ２７３１〜２７３９に対して行う。片面で印刷すると判断した場合、印刷ジョブデータ生成部２０７は、裏面に挿入する仮白紙をＳ１３０４にて生成する。図２２Ｅでは２７３２、２７３４、２７３８がＳ１３０４にて挿入される白紙である。２７３１と２７３３、２７３３と２７３５の用紙タイプが普通紙と厚紙とで異なっており、同一の用紙に印刷できない。そのため、印刷ジョブデータ生成部２０７は、仮白紙のＰＤＬデータである２７３２と２７３４とを挿入する。ＰＤＬデータの２７３７と２７３９とは用紙サイズがＡ３とＡ４とで異なるため、印刷ジョブデータ生成部２０７は、仮白紙のＰＤＬデータである２７３８を挿入する。
Ｓ１３０５において、印刷ジョブデータ生成部２０７は、章単位の最終ページまで両面可否の判定をしたか確認し、全頁の処理が終了したらＳ１３０６へ、まだ章のページが残っていればＳ１３０３へ戻りＳ１３０３〜Ｓ１３０５までの判定を繰り返す。Ｓ１３０６において、印刷ジョブデータ生成部２０７は、章の総ページ数が偶数かどうかを判定し、奇数の場合はＳ１３０７において最終ページの裏面用白紙を挿入する。図２２ＥのＰ１０の仮白紙のＰＤＬデータである２７４０がこれに該当する。Ｓ１３０８において、印刷ジョブデータ生成部２０７は、ジョブの全頁の両面判定が終わったら図１８に示す処理を終了する。
【００３８】
図１９は、画像形成装置側の印刷データ解析処理の一例を示すフローチャートである。
Ｓ２１０２において、面付け制御部３０４は、ジョブチケットに両面指定属性があるか否か、確認する。ジョブチケットで両面モード指定２７５１に両面を設定されている場合は、面付け制御部３０４は、Ｓ２１０３に進む。片面を設定されている場合は、面付け制御部３０４は、Ｓ２１０７へ進み、両面印刷用の仮白紙があれば削除する（両面データを後からジョブチケット編集で片面に変更する場合の処理）。
Ｓ２１０３において、面付け制御部３０４は、ジョブチケットの他属性と両面設定との組み合わせが成り立つか検証し、両面設定を続行するべきか判断する。面付け制御部３０４は、両面の解除が必要と判断した場合はＳ２１０７で両面設定を無効後、Ｓ２１０７にて両面印刷用の仮白紙を削除する。
両面印刷の実施形態では、論理ページの両面貼り付けが失敗した場合に仮白紙挿入・確定する処理と論理ページ総数が奇数の場合の最終ページを仮白紙挿入・確定処理する処理との２つを説明した。
【００３９】
図２０は、Ｎｕｐ印刷に関する情報処理装置側の印刷データ生成処理の一例を示すフローチャートである。図２１は、Ｎｕｐ印刷ジョブを受信したときの画像形成装置側の処理の一例を示すフローチャートである。図２２ＦではＮｕｐ属性を含む印刷ジョブのデータ構造とその出力結果を示す。
ユーザは、情報処理装置１０１の印刷データ編集部２１４からＮｕｐ設定が反映された印刷物を生成するための設定操作を行う。この設定操作の設定内容は印刷設定制御部２０６を通じて印刷ジョブデータ生成部２０７に通知される。
印刷ジョブデータ生成部２０７では、図２２Ｆに示すジョブチケット２５１０とＰＤＬデータ２５２０とからなる印刷ジョブを生成する。ジョブチケット２５１０のＮｕｐ属性２５４０は、Ｎｕｐ面数を指定する２５４１とＮｕｐ時の面順方向を指定する２５４２とから構成される。画像形成装置１０２は、Ｎｕｐ面数が「１」の場合はＮｕｐ処理を行わない。画像形成装置１０２は、Ｎｕｐ面数が２以上の場合、ページ並び方向に従って複数の論理ページを１枚の物理用紙の面に印字する。
【００４０】
図２０において、Ｓ１２０２〜Ｓ１２０３又は１２０４は、ジョブの章単位で行う処理である。図２２Ｆに示した印刷ジョブは章紙を含まないため、印刷ジョブデータ生成部２０７は、ジョブ全体を１つの章として扱う。Ｓ１２０２において、印刷ジョブデータ生成部２０７は、章を構成する論理ページ数をカウントする。図２２Ｆの場合、５ページとなる。次にＳ１２０３に進み、印刷ジョブデータ生成部２０７は、Ｎｕｐ処理時にＰＤＬデータ２５２０のページ数が不足するか確認する（総ページ数がＮで割り切れること）。ページ数が不足する場合、Ｓ１２０４へ進み、印刷ジョブデータ生成部２０７は、仮白紙ページを追加し、Ｎで総ページ数が割り切れるまで追加する。
【００４１】
図２１において、Ｓ１９０２で、面付け制御部３０４は、Ｎｕｐ属性があり、Ｎｕｐ数に２以上が設定されているか確認する。印刷時に画像形成装置の設定画面からＮｕｐ値が１に変更（無効化）されていれば、Ｓ１９０８において、面付け制御部３０４は、Ｎｕｐに絡む仮白紙を削除する。Ｎｕｐ値が２以上の場合はＳ１９０３に進み、面付け制御部３０４は、他の属性との複合動作が可能かを判定する。面付け制御部３０４は、複合動作が可能な場合は、Ｓ１９０４に進み、無理な場合はＳ１９０７にてＮｕｐ数を１に戻し、Ｓ１９０８にて仮白紙を削除する。次にＳ１９０４において、面付け制御部３０４は、投入データがＮｕｐ前の入力データサイズとＮｕｐ後の出力データサイズとがデバイスの処理可能な範囲かをチェックする。面付け制御部３０４は、Ｎｕｐ可能と判断したらＳ１９０５へ、Ｎｕｐ不可と判断したらＳ１９０７、Ｓ１９０８と進み、Ｎｕｐ用の仮白紙を削除する。Ｓ１９０５において、面付け制御部３０４は、データ内に挿入された仮白紙を白紙として確定させる。そして、Ｓ１９０６において、面付け制御部３０４は、Ｎｕｐ処理を実行する。
【００４２】
以上、製本、両面、Ｎｕｐ、インデックス紙、ＯＨＰ中挿し紙、表紙、それぞれの属性に付随する白紙の挿入・削除処理について説明した。本実施形態では、情報処理装置側で設定された仮白紙挿入指定について、画像形成装置側で印刷前のジョブチケット設定と、ページの仮白紙情報とから、最終的に必要な白紙挿入のみを確定させ、不要な白紙を削除する。これにより画像形成装置側で最終印刷条件から外れた設定と関連する面付け処理用の白紙を出力結果に反映しないよう制御することができる。
【００４３】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００４４】
以上、上述した各実施形態によれば、画像形成装置は印刷時に確定した「最終的なフィニッシング設定」に関連する「面付け処理用の白紙挿入指示」のみを有効とする。また、画像形成装置は、所望の出力設定に関係無いフィニッシングの面付け用の白紙挿入指定を削除することで、印刷開始の直前に最終決定したフィニッシング条件の面付け処理を実現できる。この結果、ジョブの設定変更後にオペレータによる面付け制御の修正や情報処理装置側での印刷データの再生成・画像形成装置上での再ＲＩＰ処理を回避することができる。
また、上述した各実施形態によれば、画像形成装置側で最終的な白紙挿入処理の判断を行えるようにすることができる。したがって、画像形成装置上で保存されているＲＩＰ完了後の印刷データに対しても面付け用の白紙挿入を修正することなくフィニッシング指定を変更できるようにすることができる。
【００４５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2012058906.tif 000003
【図２】
2012058906.tif 000004
【図３】
2012058906.tif 000005
【図４】
2012058906.tif 000006
【図５】
2012058906.tif 000007
【図６】
2012058906.tif 000008
【図７】
2012058906.tif 000009
【図８】
2012058906.tif 000010
【図９】
2012058906.tif 000011
【図１０】
2012058906.tif 000012
【図１１】
2012058906.tif 000013
【図１２】
2012058906.tif 000014
【図１３】
2012058906.tif 000015
【図１４】
2012058906.tif 000016
【図１５】
2012058906.tif 000017
【図１６】
2012058906.tif 000018
【図１７】
2012058906.tif 000019
【図１８】
2012058906.tif 000020
【図１９】
2012058906.tif 000021
【図２０】
2012058906.tif 000022
【図２１】
2012058906.tif 000023
【図２２Ａ】
2012058906.tif 000024
【図２２Ｂ】
2012058906.tif 000025
【図２２Ｃ】
2012058906.tif 000026
【図２２Ｄ】
2012058906.tif 000027
【図２２Ｅ】
2012058906.tif 000028
【図２２Ｆ】
2012058906.tif 000029